(57)【要約】      （修正有）【課題】常時使用する眼鏡を介して歩行中の安全を確保するための光反射機能を提供し、これにより反射タスキの持ち運びの手間を解消すると共に、着用者の目の保護をしながら行動の安全性を高めることができる眼鏡、眼鏡フレーム及び眼鏡フレーム用反射材シールを提供する。【解決手段】眼鏡１０は、フレーム１１ａ〜１１ｃとレンズ１２ａ，１２ｂを備えており、フレーム１１ａ，１１ｃの表面に反射材２１ａ，２１ｃを備えている。反射材は、裏面に接着剤（粘着材）を有する反射材シールであってもよい。【選択図】図１
0003214006.tif 000002
【実用新案登録請求の範囲】
【請求項１】
フレームとレンズを備えており、フレームの表面が反射材を備えている、眼鏡。
【請求項２】
その表面が反射材を備えている、眼鏡フレーム。
【請求項３】
その表面の一部にシールを貼り付けるための窪みを備えている、眼鏡フレーム。
【請求項４】
眼鏡フレームの表面の一部の形状と一致する平面形状を有し、
その表面に反射材を備えており、
その裏面に粘着材を備えている、
前記眼鏡フレームに貼り付けるためのシール。
【請求項５】
眼鏡フレームとシールのセットであって、
前記眼鏡フレームは、その表面の一部にシールを貼り付けるための窪みを備えており、
前記シールは、
前記眼鏡フレームの窪みの形状と一致する平面形状を有し、
その表面に反射材を備えており、
その裏面に粘着材を備えている、
眼鏡フレームとシールのセット。
【考案の詳細な説明】
【技術分野】
【０００１】
本考案は、眼鏡に関し、特に、眼鏡フレームに関する。また、本考案は反射材を使用した安全器具にも関する。
【背景技術】
【０００２】
一般に、夜間に街灯などが不足した暗い場所を歩行する際に、主に自動車の運転者から視認しやすいようにして歩行者の安全を確保するために、反射材を備えたタスキなどが利用されている。しかしながら、そのような反射タスキは携帯には不便であり、自宅から散歩に出る際には使用が容易でも、通勤・通学の帰り道に使用することは持ち運びの手間があって難しい。
【考案の開示】
【考案が解決しようとする課題】
【０００３】
本考案が解決しようとする課題は、常時使用する眼鏡を介して歩行中の安全を確保するための光反射機能を提供し、これにより上記反射タスキの持ち運びの手間を解消すると共に、着用者の目の保護をしながら行動の安全性を高めることである。
【課題を解決するための手段】
【０００４】
本考案による眼鏡は、フレームとレンズを備えており、前記フレームの表面が反射材を備えていることにより、上記課題を解決する。
【０００５】
本考案による眼鏡フレームは、その表面が反射材を備えていることにより、上記課題を解決する。また、本考案による別の眼鏡フレームは、その表面の一部にシールを貼り付けるための窪みを備えている。
【０００６】
本考案による眼鏡フレームに貼り付けるためのシールは、眼鏡フレームの表面の一部の形状と一致する平面形状を有し、その表面に反射材を備えており、その裏面に粘着材を備えていることにより、上記課題を解決する。
【０００７】
本考案による眼鏡フレームとシールのセットは、前記眼鏡フレームがその表面の一部にシールを貼り付けるための窪みを備えており、前記シールが前記眼鏡フレームの窪みの形状と一致する平面形状を有し、その表面に反射材を備えており、その裏面に粘着材を備えている。
【考案の効果】
【０００８】
本考案による眼鏡等は、フレーム表面に反射材を備えていることにより光を入射方向に反射する機能を有しているため、自動車のヘッドライト等の光を照射された際に光を光源に向かって反射することができる。これにより、反射タスキ等の特別の道具を使用することなく、日常から使用する眼鏡のみによって夜間に自動車の運転者等に着用者の存在を認識させることができ、着用者の歩行中の安全を確保することができる。
【０００９】
また、本考案による眼鏡等を光反射機能を有する反射タスキ等と併用することにより、着用者の行動の安全性をさらに高めることが可能である。特に夜間においては、目の中にホコリや虫が入ってくることが多いため、本考案による眼鏡等を使用することにより目の保護を行いながら安全を確保することが有用である。
【考案を実施するための最良の形態】
【００１０】
以下、図面を参照しながら本考案の実施の形態について説明する。
【実施例１】
【００１１】
図１は、本考案による眼鏡の斜視図を示す。本考案による眼鏡１０は、従来の眼鏡と同様に、フレーム本体１１ａと、弦（つる）１１ｂ，１１ｃと、レンズ１２ａ，１２ｂと、鼻パッド１３ａ，１３ｂを備えている。本明細書においては、フレーム本体１１ａと弦（つる）１１ｂ，１１ｃを総称して単に「フレーム」又は「眼鏡フレーム」と呼ぶ。フレーム本体１１ａと弦１１ｂを枢動可能に接続するためのネジ等、眼鏡各部の細かい部品については従来の眼鏡と同様であるため説明を省略する。
【００１２】
眼鏡１０は、従来の眼鏡とは異なり、図１中の斜線部により表される反射材２１ａ，２１ｃをフレームの外側表面に備えている。反射材２１ａ，２１ｃは、眼鏡１０の着用者に対して自動車のヘッドライト等の光が照射されたときに、自動車の運転者等に着用者の存在を知らせるために、光源に向かって光を反射するためのものである。反射材は、好適にはメタクリル樹脂を成形したプリズム素子や、アルミ蒸着面を付加されたガラスビーズ等から構成されるが、再帰反射の性質を有する素材であれば他のものであっても良い。なお、再帰反射とは光がどのような方向に当たっても光源に向かってそのまま反射する反射態様である（一般社団法人日本反射材普及協会ウェブサイトhttp://www.jp-respa.com参照）。
【００１３】
図示されてはいないが、弦１１ｂの外側表面にも、弦１１ｃと同様に反射材が備えられている。なお、図１に示される製品は、レンズ１２ａ，１２ｂを有しない眼鏡フレームとして製造及び販売されてもよい。
【００１４】
図２は、図１の眼鏡のフレーム表面に備えられた反射材の平面図である。反射材２１ａ，２１ｃは、上述した通り図１の眼鏡のフレーム本体１１ａ及び弦１１ｃの外側表面に備えられている。一方、反射材２１ｂは図１の弦１１ｂの外側表面に備えられている。
【００１５】
図２に示される製品は、裏面に接着剤（粘着材）を有して剥離紙上に乗せられたシールとして製造及び販売されてもよい。この場合には、市販の眼鏡フレームの表面形状に一致するように、シールの平面形状が適宜設計される。接着剤の材質は、貼付対象の眼鏡フレームの材質（金属・合成樹脂等）に合わせて、ブチルゴム系・アクリル系等の材質が適宜選択される。
【実施例２】
【００１６】
図３は、本考案による別の眼鏡の斜視図を示す。図３に示される眼鏡３０は、いわゆるスポーツグラスであり、スポーツを行う際に着用されるものである。眼鏡３０は、フレーム３１と、レンズ３２と、鼻パッド３３ａ，３３ｂを備えている。図１の眼鏡１０と同様に、眼鏡３０の各部の細かい部品については従来の眼鏡と同様であるため説明を省略する。
【００１７】
フレーム３１はその表面全体に反射材を備えており、そのことが図３中の斜線により示されている。フレーム３１は、単に反射材を含む合成樹脂を一体成形したものであってもよい。フレーム３１表面の反射材の働きにより、眼鏡３０の着用者に当てられた光は光源に向かって反射する。そのため、例えば夜間に自動車のヘッドライトにより当てられた光が当該自動車のフロントガラスに向かって反射し、当該自動車の運転者に着用者の存在を知らせることができる。
【実施例３】
【００１８】
図４は、本考案による別の眼鏡の斜視図を示す。本考案による眼鏡４０は、フレーム本体４１ａと、弦４１ｂ，４１ｃと、レンズ４２ａ，４２ｂと、鼻パッド４３ａ，４３ｂを備えている。図１の眼鏡１０と同様に、ここではフレーム本体４１ａと弦４１ｂ，４１ｃを総称して単に「フレーム」又は「眼鏡フレーム」と呼ぶ。また、フレーム本体４１ａと弦４１ｂを枢動可能に接続するためのネジ等、眼鏡各部の細かい部品については従来の眼鏡と同様であるため説明を省略する。
【００１９】
眼鏡４０は、従来の眼鏡とは異なり、弦４１ｃに反射材を表面に備えたシールを貼付するのに適した窪み４５ａ，４５ｂを備えている。弦４１ｂにも窪み４５ａ，４５ｂと対称な形状の窪みが存在するが、図示は省略する。
【００２０】
図５は、図４の眼鏡のフレームに備えられた窪みに貼るための反射材シールの平面図である。反射材シール５５ａ〜５５ｄは、それぞれ表面に上述の反射材を備えており、裏面に眼鏡のフレーム表面と結合するための接着剤（粘着材）を備えている。反射材シール５５ａ〜５５ｄは、剥離紙上に乗せられて製造及び販売されてもよい。
【００２１】
図示されるように、反射材シール５５ａ，５５ｂの平面形状は、それぞれ図４中の窪み４５ａ，４５ｂの底面（弦４１ｃの外側表面のうち窪みを設けられない部分と略平行な面）の形状に一致している。そのため着用者の手によって、反射材シール５５ａ，５５ｂをそれぞれ窪み４５ａ，４５ｂの底面に容易に貼付することが可能である。同様に、反射材シール５５ｃ，５５ｄは、図示されない図４の弦４１ｂに備えられる二つの窪みの底面（弦４１ｂの外側表面のうち窪みを設けられない部分と略平行な面）に、それぞれ容易に貼付され得る。
【００２２】
図４の眼鏡４０に図５の反射材シール５５ａ〜５５ｄを貼付することにより、図１の眼鏡１０や図３の眼鏡３０と同様の光の反射機能を眼鏡４０に持たせることが可能である。これにより、自動車のヘッドライトを当てられた場合に自動車の運転手に着用者の存在を知らしめるなど、夜間における着用者の歩行の安全を確保することができる。また、窪み４５ａ，４５ｂ等の形状や反射材シール５５ａ〜５５ｄの色彩、図案等を適宜工夫することにより、眼鏡４０のデザインを向上させることも可能である。なお、図４の眼鏡４０はレンズ４２ａ，４２ｂを有しない眼鏡フレームとして製造及び販売されてもよく、反射材シール５５ａ〜５５ｄとセットにして販売されてもよい。
【００２３】
なお、本明細書における眼鏡は、近視用眼鏡、遠視用眼鏡、老眼鏡等の通常の眼鏡のみならず、いわゆる伊達眼鏡と呼ばれる視力補正機能を有しない眼鏡、ランニング・ゴルフ等に使用されるスポーツグラス、及びサングラス等を含む。
【産業上の利用可能性】
【００２４】
スポーツグラス・サングラス等を含む各種の眼鏡及び眼鏡フレームに利用することができる。また、眼鏡とは言えない水泳用ゴーグル、スキー用ゴーグル等の目を保護する器具に利用することも考えられる。
【図面の簡単な説明】
【００２５】
【図１】本考案による眼鏡の斜視図を示す。
【図２】図１の眼鏡のフレーム表面に備えられた反射材の平面図である。
【図３】本考案による別の眼鏡の斜視図を示す。
【図４】本考案による別の眼鏡の斜視図を示す。
【図５】図４の眼鏡のフレームに備えられた窪みに貼るための反射材シールの平面図である。
【符号の説明】
【００２６】
１０，３０，４０  眼鏡
１１ａ，４１ａ  フレーム本体
１１ｂ，１１ｃ，４１ｂ，４１ｃ  弦
１２ａ，１２ｂ，３２，４２ａ，４２ｂ  レンズ
１３ａ，１３ｂ，３３ａ，３３ｂ，４３ａ，４３ｂ  鼻パッド
２１ａ，２１ｂ，２１ｃ  反射材
３１  フレーム
４５ａ，４５ｂ  窪み
５５ａ，５５ｂ，５５ｃ，５５ｄ  反射材シール
【図１】
0003214006.tif 000003
【図２】
0003214006.tif 000004
【図３】
0003214006.tif 000005
【図４】
0003214006.tif 000006
【図５】
0003214006.tif 000007